(57)【要約】  表示装置（１００）は、赤（Ｒ）（２２）、緑（Ｇ）（２３）、青（Ｂ）（２４）の各サブピクセル、および、白（Ｗ）サブピクセル（２５）を一画素（２１）中に有する表示パネル（２０）を備えた表示装置であって、ＲＧＢデータを取得するＲＧＢデータ取得部（１１０）と、画素毎に、ＲＧＢデータ取得部（１１０）が取得したＲＧＢデータをＲＧＢＸデータに変換する際に、白（Ｗ）の輝度を、当該画素を含む所定領域に含まれる複数の画素の白（Ｗ）の輝度と略同一となるように決定する第１演算処理部（１１２ａ）と、を備える。
2012137819.tif 000002
【特許請求の範囲】
【請求項１】
赤（Ｒ）、緑（Ｇ）、青（Ｂ）の各サブピクセル、および、４つ目のサブピクセル（Ｘ）を一画素中に有する表示パネルを備えた表示装置であって、
ＲＧＢデータを取得する取得手段と、
画素毎に、上記取得手段が取得したＲＧＢデータをＲＧＢＸデータに変換する際に、上記４つ目のサブピクセル（Ｘ）の輝度を、当該画素を含む所定領域に含まれる複数の画素の４つ目のサブピクセル（Ｘ）の輝度と略同一となるように決定する第１変換手段と、
を備えることを特徴とする表示装置。
【請求項２】
上記第１変換手段は、上記ＲＧＢデータを、上記４つ目のサブピクセル（Ｘ）の表示が黒となるＲＧＢＸデータに変換することを特徴とする請求項１に記載の表示装置。
【請求項３】
画素毎に、上記取得手段が取得したＲＧＢデータをＲＧＢＸデータに変換する際に、上記４つ目のサブピクセル（Ｘ）の輝度を他の画素の４つ目のサブピクセル（Ｘ）の輝度とは独立に決定する第２変換手段と、
上記第１変換手段および上記第２変換手段が変換したＲＧＢＸデータを用いて表示される表示モードをそれぞれ、第１表示モードおよび第２表示モードとしたときに、上記第１表示モードと上記第２表示モードによる表示の切り換え時に、ディミング処理を行う表示制御手段と、
を備えることを特徴とする請求項１または２に記載の表示装置。
【請求項４】
画素毎に、上記取得手段が取得したＲＧＢデータをＲＧＢＸデータに変換する際に、上記４つ目のサブピクセル（Ｘ）の輝度を他の画素の４つ目のサブピクセル（Ｘ）の輝度とは独立に決定する第２変換手段と、
上記第１変換手段および上記第２変換手段が変換したＲＧＢＸデータを用いて表示される表示モードをそれぞれ、第１表示モードおよび第２表示モードとしたときに、上記第１表示モードによる表示および上記第２表示モードによる表示を同一画面内に表示させる表示制御手段と、
を備えることを特徴とする請求項１または２に記載の表示装置。
【請求項５】
上記４つ目のサブピクセル（Ｘ）は、白（Ｗ）であることを特徴とする請求項１から４の何れか１項に記載の表示装置。
【請求項６】
赤（Ｒ）および緑（Ｇ）のサブピクセルは、青（Ｂ）のサブピクセルよりも面積が大きいことを特徴とする請求項５に記載の表示装置。
【請求項７】
上記４つ目のサブピクセル（Ｘ）は、黄（Ｙ）であることを特徴とする請求項１から４の何れか１項に記載の表示装置。
【請求項８】
青（Ｂ）のサブピクセルは、赤（Ｒ）および緑（Ｇ）のサブピクセルよりも面積が大きいことを特徴とする請求項７に記載の表示装置。
【請求項９】
上記４つ目のサブピクセル（Ｘ）は、緑（Ｇ）であることを特徴とする請求項１から４の何れか１項に記載の表示装置。
【請求項１０】
画素毎に、上記取得手段が取得したＲＧＢデータをＲＧＢＸデータに変換する際に、上記４つ目のサブピクセル（Ｘ）の輝度を他の画素の４つ目のサブピクセル（Ｘ）の輝度とは独立に決定する第２変換手段と、
上記第１変換手段および上記第２変換手段が変換したＲＧＢＸデータを用いて表示される表示モードをそれぞれ、第１表示モードおよび第２表示モードとしたときに、上記第１表示モードによる表示と上記第２表示モードによる表示とを、上記ＲＧＢデータのデータ特性に応じて自動で切り換え表示させる表示制御手段と、を備えることを特徴とする請求項３または４に記載の表示装置。
【請求項１１】
上記データ特性は、上記ＲＧＢデータの彩度であり、
彩度の高低にしたがって、第１表示モードによる表示または第２表示モードによる表示が決定されることを特徴とする請求項１０に記載の表示装置。
【請求項１２】
上記表示装置は、液晶表示装置であることを特徴とする請求項１から１１の何れか１項に記載の表示装置。
【請求項１３】
上記表示装置は、バックライトの光源を複数有し、
上記所定領域に対応する複数の上記光源ごとに、バックライト制御が行われることを特徴とする請求項１２に記載の表示装置。
【請求項１４】
上記ディミング処理に要する時間は、３０ｍｓ〜２ｓであることを特徴とする請求項３に記載の表示装置。
【請求項１５】
赤（Ｒ）、緑（Ｇ）、青（Ｂ）の各サブピクセル、および、４つ目のサブピクセル（Ｘ）を一画素中に有する表示パネルを備えた表示装置の表示方法であって、
ＲＧＢデータを取得する取得ステップと、
画素毎に、上記取得ステップにて取得されたＲＧＢデータをＲＧＢＸデータに変換する際に、上記４つ目のサブピクセル（Ｘ）の輝度を、当該画素を含む所定領域に含まれる複数の画素の４つ目のサブピクセル（Ｘ）の輝度と略同一となるように決定する変換ステップと、を含むことを特徴とする表示方法。
【発明の詳細な説明】
【技術分野】
【０００１】
本発明は、１画素に４つのサブピクセルを有する表示パネルを備えた表示装置に関し、特に、表示画像の輪郭の見え方が改良された表示装置等に関する。
【背景技術】
【０００２】
カラー画像表示装置では、一般にＲ（赤）、Ｇ（緑）及びＢ（青）の三色を混色することによって様々な色を表現している。例えば、表示パネルの各画素にＲＧＢそれぞれのカラーフィルターを配し、バックライトからの光を、これらカラーフィルターを透過させることによってＲＧＢの光が出射される。【０００３】
また、近年ではＲＧＢに加えてＷ（白）のサブピクセルを各画素に設ける技術が知られている。この場合、カラー画像表示装置が取得する画像データは通常ＲＧＢデータの形式であるため、ＲＧＢＷの画素に対応するデータに変換する必要がある。【０００４】
例えば、特許文献１には、ＲＧＢＷの画素配列を有する液晶表示装置において、ＲＧＢデータをＲＧＢＷデータに変換する方法が記載されている。
【先行技術文献】
【特許文献】
【０００５】
【特許文献１】国際特許公報第２００６／０８０２３７号（公開日：２００６年１月１９日）
【発明の概要】
【発明が解決しようとする課題】
【０００６】
しかしながら、４つのサブピクセルを用いて表示を行った場合、従来の１画素に３つのサブピクセル（ＲＧＢ）を有する表示パネルと比べて、画像の輪郭の見え方が悪くなるという問題があった。例えば、特許文献１の技術では、ＲＧＢのサブピクセルの階調に応じてＷのサブピクセルの階調値が画素ごとに別々に決められることから、画像の輪郭が画素ごとに変化して、表示品位が劣化し、表示画像の輪郭の見え方が悪くなるという問題があった。【０００７】
本発明は、上記の問題を解決するためになされたものであり、その目的は、１画素に４つのサブピクセルを有する表示パネルを備えた表示装置において、表示画像の輪郭の見え方を改善することが可能な表示装置等を提供することにある。
【課題を解決するための手段】
【０００８】
本発明に係る表示装置は、上記課題を解決するために、赤（Ｒ）、緑（Ｇ）、青（Ｂ）の各サブピクセル、および、４つ目のサブピクセル（Ｘ）を一画素中に有する表示パネルを備えた表示装置であって、ＲＧＢデータを取得する取得手段と、画素毎に、上記取得手段が取得したＲＧＢデータをＲＧＢＸデータに変換する際に、上記４つ目のサブピクセル（Ｘ）の輝度を、当該画素を含む所定領域に含まれる複数の画素の４つ目のサブピクセル（Ｘ）の輝度と略同一となるように決定する第１変換手段と、を備えることを特徴としている。【０００９】
また、本発明に係る表示方法は、上記課題を解決するために、赤（Ｒ）、緑（Ｇ）、青（Ｂ）の各サブピクセル、および、４つ目のサブピクセル（Ｘ）を一画素中に有する表示パネルを備えた表示装置の表示方法であって、ＲＧＢデータを取得する取得ステップと、画素毎に、上記取得ステップにて取得されたＲＧＢデータをＲＧＢＸデータに変換する際に、上記４つ目のサブピクセル（Ｘ）の輝度を、当該画素を含む所定領域に含まれる複数の画素の４つ目のサブピクセル（Ｘ）の輝度と略同一となるように決定する変換ステップと、を含むことを特徴としている。【００１０】
本発明に係る表示装置（表示方法）では、第１変換手段（変換ステップ）は、取得手段（取得ステップ）が取得したＲＧＢデータをＲＧＢＸデータに変換する際に、上記４つ目のサブピクセル（Ｘ）の輝度を、当該画素を含む所定領域に含まれる複数の画素の４つ目のサブピクセル（Ｘ）の輝度と略同一となるように決定する。【００１１】
したがって、本発明に係る表示装置（表示方法）では、４つ目のサブピクセル（Ｘ）の輝度は、当該画素を含む所定領域に含まれる複数の画素の４つ目のサブピクセル（Ｘ）の輝度と略同一となる。つまり、上記所定領域に含まれる複数の画素の４つ目のサブピクセル（Ｘ）の輝度は、各画素に含まれるＲＧＢのサブピクセルに依存することなく、互いに略同一となる。【００１２】
それゆえ、本発明に係る表示装置（表示方法）は、従来技術の課題である、ＲＧＢのサブピクセルの階調値に応じて４つ目のサブピクセルの階調値が画素ごとに別々に決められることから、表示品位が劣化し、表示画像の輪郭の見え方が悪くなる、という課題を解決することができる。【００１３】
なお、上記所定領域は、表示パネルの画面の全体または一部であってよく、特定の範囲に限られない。
【発明の効果】
【００１４】
本発明に係る表示装置は、以上のように、ＲＧＢデータを取得する取得手段と、画素毎に、上記取得手段が取得したＲＧＢデータをＲＧＢＸデータに変換する際に、上記４つ目のサブピクセル（Ｘ）の輝度を、当該画素を含む所定領域に含まれる複数の画素の４つ目のサブピクセル（Ｘ）の輝度と略同一となるように決定する第１変換手段と、を備える構成である。【００１５】
また、本発明に係る表示方法は、以上のように、ＲＧＢデータを取得する取得ステップと、画素毎に、上記取得ステップにて取得されたＲＧＢデータをＲＧＢＸデータに変換する際に、上記４つ目のサブピクセル（Ｘ）の輝度を、当該画素を含む所定領域に含まれる複数の画素の４つ目のサブピクセル（Ｘ）の輝度と略同一となるように決定する変換ステップと、を含む構成である。【００１６】
それゆえ、１画素に４つのサブピクセルを有する表示パネルを備えた表示装置において、表示画像の輪郭の見え方を改善することができるという効果を奏する。
【図面の簡単な説明】
【００１７】
【図１】本実施の形態に係る表示装置の構成を示すブロック図である。
【図２】本実施の形態に係る表示装置が、ＲＧＢデータをＲＧＢＷデータに変換し、そのＲＧＢＷデータに基づいて表示パネルに画像を表示するまでの処理の流れを説明するためのフロー図である。
【図３】ＲＧＢの３つのサブピクセルによる輪郭の表示を示す図である。
【図４】正方配列されたＲＧＢＷの４つのサブピクセルによる輪郭の表示を示す図であり、（ａ）は白（Ｗ）を点灯した場合、（ｂ）は白（Ｗ）を消した場合の図である。
【図５】ストライプ配列されたＲＧＢＷの４つのサブピクセルによる輪郭の表示を示す図であり、（ａ）は白（Ｗ）を点灯した場合、（ｂ）は白（Ｗ）を消した場合の図である。
【図６】本実施の形態に係る他の表示装置の構成を示すブロック図である。
【発明を実施するための形態】
【００１８】
〔実施の形態１〕
以下、図面を参照しつつ、本実施の形態に係る表示装置１００について説明する。以下の説明では、同一の部品および構成要素には同一の符号を付している。それらの名称および機能も同じである。したがって、それらについての詳細な説明は繰り返さない。
【００１９】
（表示装置１００の構成）
図１は、本発明の一実施形態に係る表示装置１００の構成を示すブロック図である。
【００２０】
図１に示すように、表示装置１００は、ソースドライバ９、ゲートドライバ１０、バックライト１２、表示パネル２０、及びコントローラ１０５を備えている。
【００２１】
表示装置１００は、Ｒ（赤）Ｇ（緑）Ｂ（青）Ｗ（白）の画素配列を有する表示装置である。本実施の形態では、図１に示すように、画素２１は４つのサブピクセル２２、２３、２４、２５から構成されており、図示しないが複数の画素２１が表示パネル２０にマトリクス状に配置されている。
【００２２】
なお、本実施の形態では、表示装置１００は、液晶表示装置として説明しているが、液晶表示装置に限られず、ＰＤＰ（プラズマディスプレイパネル）や有機ＥＬ（Organic light emitting display）等であってもよい。
【００２３】
また、本実施の形態では、４つのサブピクセルをＲ（赤）Ｇ（緑）Ｂ（青）Ｗ（白）として説明しているが、４つのサブピクセルは、Ｒ（赤）Ｇ（緑）Ｂ（青）Ｙ（黄）、または、Ｒ（赤）Ｇ（緑）Ｂ（青）Ｇ（緑）等で構成されてもよい。また、本実施の形態は、５つ以上のサブピクセル（例えば、ＲＧＢＹＣ）に対しても適用することができる。
【００２４】
表示パネル２０の各画素２１は、複数のソースラインを介してソースドライバ９に接続されると共に、複数のゲートラインを介してゲートドライバ１０に接続されている。そのため、各画素２１への印加電圧を制御することによって、各サブピクセルの光の透過率が変わる。
【００２５】
表示装置１００は、ＲＧＢのサブピクセルを有しているため、赤、緑及び青の三色の光を混色して目的の色を再現している。これらの色は、例えば、ＲＧＢのサブピクセルに対応するように赤、緑及び青のカラーフィルターを配置し、表示パネル２０の背面に設けたバックライト１２から照射された光を透過することによって得られる。
【００２６】
また、画素２１はＲＧＢのサブピクセル２２、２３、２４に加えてＷのサブピクセル２５を有する。そのため、ＲＧＢのサブピクセルのみを有する表示パネルと比較して、表示される画像の輝度を明るくすることができる。
【００２７】
なお、図１においてＲＧＢＷのサブピクセル２２、２３、２４、２５の配置は２行２列（正方配列）であり、左上にＲのサブピクセル２２、右上にＧのサブピクセル２３、左下にＢのサブピクセル２４及び右下にＷのサブピクセル２５が配されているが、サブピクセルの配置はこれに限定されるものではない。
【００２８】
例えば、サブピクセルの配列方法は、同一色の色フィルターを画素列単位に配列するストライプ（stripe） 型、列及び行方向に赤色、緑色、青色、白色の色フィルターを順に
配列するモザイク（mosaic）型、列方向に単位画素を交差するように互い違いのジグザグ形態に配置し、赤色、緑色、青色、白色の色フィルターを順に配列するデルタ（delta）
型などであってもよい。そして、配列方法にはそれぞれ特徴がある。例えば、デルタ型の場合は、赤色、緑色、青色、白色の色フィルターを含む４つの単位画素を一つのドットとして画像を表示する際に、画面表示で円形や対角線を表現するのにおいて有利な表現能力を有する。したがって、その利点等を考慮して、用途に応じた配列方法が選択されればよい。
【００２９】
コントローラ１０５は、外部から入力されたＲＧＢデータ（ＲＧＢ３色の映像信号）からＲＧＢの各色信号と同期信号（水平同期信号および垂直同期信号など）とを抽出すると共に、抽出したＲＧＢの各色信号をＲＧＢＷの各色信号に変換する（即ち各画素がＲＧＢで構成された入力画像を、各画素がＲＧＢＷで構成された変換画像に変換する）。上記ＲＧＢの各色信号は、階調データとして規定されている。そして、コントローラ１０５は、上記同期信号に基づいてゲートドライバ１０を駆動制御すると共に、上記ＲＧＢＷの各色信号と上記同期信号とに基づいてソースドライバ９を駆動制御する。
【００３０】
より具体的に、コントローラ１０５は、少なくとも、ＲＧＢデータ取得部（取得手段）１１０、演算処理部１１２、及び表示制御部１１４を備える。
【００３１】
ＲＧＢデータ取得部１１０は、外部のデータ送信元からＲＧＢデータを取得する。ここで、ＲＧＢデータとは、表示すべき画像の色成分をＲ、Ｇ、Ｂの３つの色に分解して伝送される信号である。具体的には、ＲＧＢそれぞれの色の濃淡が階調として段階的に表現されており、各色に割り当てられた階調を調節することによって、様々な色を表現することができる。
【００３２】
ＲＧＢの各色に８ビット分のデータが割り当てられると、それぞれ２５５階調ずつ表現できるが、本実施の形態はこの範囲に限定されるものではなく、ＲＧＢに割り当てるデータによって表現可能な階調数を変えることができる。ＲＧＢデータのデータ送信元としては、例えば、テレビチューナー又はパソコン等が挙げられる。
【００３３】
上述したように、ＲＧＢデータは表現される色に対応するようにＲＧＢそれぞれの階調が画素毎に割り当てられており、表示装置１００では各サブピクセルの光の透過率を制御することによって目的の階調を表現している。つまり、階調が低いほど光の透過率を下げるために暗い色になり、階調が高いほど光の透過率を上げるために赤、緑又は青が鮮やかに表現される。
【００３４】
ＲＧＢデータ取得部１１０によって取得されるＲＧＢデータは、ＲＧＢ３つのサブピクセルから構成される画素に対応するデータである。そのため、ＲＧＢＷ４つのサブピクセルから構成される画素を有する表示装置１００では、取得したＲＧＢデータを該画素に対応するように変換する必要がある。表示装置１００では、演算処理部１１２が、ＲＧＢデータをＲＧＢＷデータに変換する。
【００３５】
より具体的に、演算処理部１１２は、第１演算処理部１１２ａ（第１変換手段）、及び第２演算処理部１１２ｂ（第２変換手段）を備える（ここで、第１演算処理部１１２ａ、及び第２演算処理部１１２ｂを区別しないときは、単に演算処理部１１２と称する場合がある）。
【００３６】
第１演算処理部１１２ａは、画素毎に、ＲＧＢデータ取得部１１０が取得したＲＧＢデータをＲＧＢＸデータに変換する際に、白（Ｗ）のサブピクセルの輝度を、当該画素を含む所定領域に含まれる複数の画素の白（Ｗ）のサブピクセルの輝度と略同一となるように決定する。なお、上記所定領域は、表示パネルの画面の全体または一部であってよく、特定の範囲に限られない。
【００３７】
第２演算処理部１１２ｂは、画素毎に、ＲＧＢデータ取得部１１０が取得したＲＧＢデータをＲＧＢＸデータに変換する。すなわち、第２演算処理部１１２ｂは、３色映像信号であるＲＧＢデータを演算して、４色映像信号であるＲＧＢＷデータに変換する。このようなデータ変換方法には、２進数のＲＧＢデータから各々白色成分を抽出し、これをハーフトーンプロセスで処理してＲＧＢＷデータを生成する方法がある。また、ＲＧＢデータの増加値のうち最小値を各色毎に増加値から差し引いてこれを白色成分の入力増加値として活用し、白色差し引き量以外の赤色、緑色及び青色映像信号（ＲＧＢ）の増加分を残りの映像信号（ＲＧＢ）の出力信号として用いる方法などがある。なお、ＲＧＢデータをＲＧＢＷデータに変換する方法は、既に公知の技術であるため本実施例では詳細な説明を省略する。
【００３８】
さらに、演算処理部１１２は、ＲＧＢデータから一つのＲＧＢＸデータを生成するのではなく、複数のＲＧＢＸデータを生成する。したがって、表示制御部１１４は、複数のＲＧＢＸデータの中から表示装置１００の特性に合わせてＲＧＢＸデータを最適化して出力する（Ｒ'Ｇ'Ｂ'Ｗ'）。例えば、一つの画素を中間階調の１２７番目階調として表現する方法には、（Ｗ＝０、ＲＧＢ＝２５５）、（Ｗ＝１、ＲＧＢ＝２５４）、…（Ｗ＝１２７、ＲＧＢ＝１２７）、…（Ｗ＝２５５、ＲＧＢ＝０）など２５６個がある。ＲＧＢＸデータを最適化する方法は、既に公知の技術であるため本実施例では詳細な説明を省略する。
【００３９】
表示制御部１１４は、演算処理部１１２が変換したＲＧＢＷデータから表示パネル２０に表示すべき画像を生成して、その画像を表示パネル２０に表示させる。表示制御部１１４が表示パネル２０に表示させる画像の元となるＲＧＢＷデータは、操作部１５０を介して入力される外部入力によって決定される、第１演算処理部１１２ａおよび第２演算処理部１１２ｂの少なくとも何れか一方により演算されたＲＧＢＷデータである。なお、以降の説明では、第１演算処理部１１２ａおよび第２演算処理部１１２ｂが変換したＲＧＢＸデータに基づく表示をそれぞれ、第１表示モードおよび第２表示モードと称する場合がある。
【００４０】
操作部１５０は、第１表示モードまたは第２表モードの何れの表示モードで表示パネル２０に画像を表示させるかを示すモード選択情報をコントローラ１０５に入力するために用いられる。操作部１５０は、例えば、表示装置１００を遠隔操作するリモコンや、表示装置１００自体に設けられた操作ボタン、あるいは、表示装置１００に接続された、マウスやキーボードなどで構成されてよい。操作部１５０を用いて入力されたモード選択情報を示す選択信号は、図示しない入出力制御部を介して、表示制御部１１４に送られる。これにより、表示制御部１１４は、第１表示モードまたは第２表モードの何れの表示モードで画像を表示させるかを選択することができる。なお、モード選択情報には、表示される画像の種類（例えば、テキストデータ、写真、動画等）によって表示モードを決定する旨の情報などが含まれていてもよい。
【００４１】
一例として、表示パネル２０に表示される画像がカラフルな写真であるとき、観賞者は、操作部１５０に、第１表示モードで表示させることを指示する入力を行う。一方、表示パネル２０に表示される画像がモノクロのテキストデータであるとき、観賞者は、操作部１５０に、第２表示モードで表示させることを指示する入力を行う。また、表示パネル２０に表示される画像が写真およびモノクロのテキストモードであるとき、観賞者は、操作部１５０に、写真を第１表示モードで、テキストデータを第２表示モードで表示させることを指示する入力を行う。
【００４２】
さらに、本実施の形態では、表示制御部１１４は、第１表示モードと第２表示モードとをディミングを持たせて切り換え表示させることもできる。また、表示制御部１１４は、第１表示モードおよび第２表示モードを、同一画面内に表示させることもできる（詳細は後述）。
【００４３】
表示制御部１１４は、図示しないタイミング制御部を有する。タイミング制御部は、ＲＧＢＷデータに対応する制御信号を生成し、ソースドライバ９及びゲートドライバ１０に該制御信号をそれぞれ送信する。この制御信号としては、例えばソーススタート信号、ソースクロック信号、ゲートスタート信号及びゲートクロック信号が挙げられる。
【００４４】
ソースドライバ９及びゲートドライバ１０は、受信した制御信号に応じて各画素２１に配されたＲＧＢＷのサブピクセル２２、２３、２４、２５へ電圧を印加して、その透過率を制御することによって色が表現される。
【００４５】
バックライト１２は、図示しないバックライト制御部による制御を受けて、表示パネル２０に向けて光を照射する。本実施形態において、バックライト１２から照射される光は白色光であればよい。バックライト１２の光源としては、例えば、エレクトロ・ルミネッセンス（ＥＬ）、冷陰極管（ＣＣＦＬ）又は発光ダイオード（ＬＥＤ）等が挙げられる。表示パネル２０は、表示制御部１１４から入力されたＲＧＢＷデータ信号、同期信号、電源電圧信号に基づいて画像を表示する。同期信号、電源電圧信号は、コントローラ１０５と同じＬＳＩから生成されてもよい。また、コントローラ１０５を含むＬＳＩは、ディスプレイの基板上、ディスプレイのガラス上、またはＴＣＰ上に実装されてもよい。
【００４６】
このような構成の表示装置１００は、例えば、テレビジョン受像機、パソコン、携帯電話又はゲーム機器等の種々の表示装置であり得る。
【００４７】
（表示装置１００の動作）
次に、表示装置１００が、ＲＧＢデータをＲＧＢＷデータに変換し、そのＲＧＢＷデータに基づいて表示パネル２０に画像を表示するまでの処理の流れについて、図２を参照して説明する。図２は、表示装置１００が、ＲＧＢデータをＲＧＢＷデータに変換し、そのＲＧＢＷデータに基づいて表示パネル２０に画像を表示するまでの処理の流れを説明するためのフロー図である。
【００４８】
まず、ＲＧＢデータ取得部１１０が、例えば、テレビチューナー又はパソコン等の外部のデータ送信元からＲＧＢデータを取得する（Ｓ１０）。ＲＧＢデータは、ＲＧＢそれぞれの色の濃淡が階調として段階的に表現されており、各色に割り当てられた階調を調節することにより、様々な色を表現することができる。ＲＧＢデータ取得部１１０は、取得したＲＧＢデータを、第１演算処理部１１２ａ、及び第２演算処理部１１２ｂに出力する。
【００４９】
なお、操作部１５０からの入力に基づいて、第１演算処理部１１２ａあるいは第２演算処理部１１２ｂによる処理が不要である設定が予めなされているのであれば、ＲＧＢデータ取得部１１０は、取得したＲＧＢデータを、ＲＧＢデータを必要とする第１演算処理部１１２ａおよび第２演算処理部１１２ｂの何れか一方のみに出力すればよい。これにより、演算処理部１１２は、不要な処理を省略して、演算処理量を軽減することができる。なお、Ｓ２０以下の説明では、第１演算処理部１１２ａまたは第２演算処理部１１２ｂともにＲＧＢデータをＲＧＢＸデータに変換するものとして説明する。
【００５０】
次に、第１演算処理部１１２ａが、画素毎に、ＲＧＢデータ取得部１１０が取得したＲＧＢデータをＲＧＢＸデータに変換する際に、白（Ｗ）のサブピクセルの輝度を、当該画素を含む所定領域に含まれる複数の画素の白（Ｗ）のサブピクセルの輝度と略同一となるように決定する（Ｓ２０）。
【００５１】
ここで、第１演算処理部１１２ａが決定する白（Ｗ）のサブピクセルの輝度は、白、黒、または、その中間調に対応する輝度の何れであってもよい。ただし、液晶表示装置における視野角特性は、両端側（白または黒）の階調の方が、中間階調よりも優れる。また、白は、画像に用いられるシーン（ユースケース）が限られる。これに対して、黒表示は、残りのＲＧＢの３つのサブピクセルで表示を行うことで、従来のＲＧＢの３つのサブピクセルによる表示品位に非常に近い表示品位をもたらすことができる。そのため、第１演算処理部１１２ａは、ＲＧＢデータを、白（Ｗ）の表示が黒となるようにＲＧＢＸデータに変換することが好ましい。
【００５２】
ここで、「略同一」は、必ずしも同一である必要がなく、ある一定の輝度値の幅を有してよいことを示す。表示装置１００では、「略同一」であっても、表示画像の輪郭の見え方を改善できるという効果を実現できるためである。なお、略同一の範囲は、周期的に輝度が変化し、一周期の平均輝度に対して、０％〜２２０％の範囲内に収まるのであれば、その範囲に含まれるものとして許容される。
【００５３】
第２演算処理部１１２ｂは、画素毎に、ＲＧＢデータ取得部１１０が取得したＲＧＢデータをＲＧＢＸデータに変換する（Ｓ３０）。その変換方法は、従来技術により行ってよいため、ここでの詳細説明は省略する。
【００５４】
そして、第１演算処理部１１２ａおよび第２演算処理部１１２ｂはそれぞれ、ＲＧＢＷデータを、表示制御部１１４に出力する。
【００５５】
表示制御部１１４は、演算処理部１１２が変換したＲＧＢＷデータから表示パネル２０に表示すべき画像を生成して、その画像を表示パネル２０に表示させる（Ｓ４０）。
【００５６】
このようにして、表示装置１００は、ＲＧＢデータをＲＧＢＷデータに変換し、そのＲＧＢＷデータに基づいて表示パネル２０に画像を表示する。
【００５７】
（表示装置１００の効果）
次に、表示装置１００によって得られる効果を図３から図５により説明する。
【００５８】
図３は、ＲＧＢの３つのサブピクセルによる輪郭の表示を示す図である。一般に、ＲＧＢの３つのサブピクセルによる表示は、表示品位が高く、また液晶表示において視野角特性に優れるという利点を持つ。
【００５９】
図４は、正方配列されたＲＧＢＷの４つのサブピクセルによる輪郭の表示を示す図であり、図４（ａ）は白（Ｗ）を点灯した場合、図４（ｂ）は白（Ｗ）を消した場合の図である。
【００６０】
図４（ａ）に示すように、正方配列されたＲＧＢＷの４つのサブピクセルによる輪郭の表示を行うと、明るいサブピクセルである白（Ｗ）が左側のエッジに現れ、その部分の表示が目立ってしまう。また、２ラインおきに白（Ｗ）が表示されるため、見た目の粒粒感が出てしまい、表示品位を低下させてしまう。
【００６１】
より具体的に、ＲＧＢＷの４つのサブピクセルによる表示を行う場合であって、映像パターンの輪郭部分に従来のＲＧＢ以外のサブピクセルが設けられた場合、エッジの表示は、従来のＲＧＢディスプレイとは異なるものとなる。また、液晶型表示装置の場合には、視野角特性は表示階調に依存する。したがって、ＲＧＢＷの４つのサブピクセルによる表示を行う場合とＲＧＢの３つのサブピクセルで表示を行う場合とでは、階調の異なるサブピクセルが存在することになり、それにより視野角特性が変化する。しかも、液晶型表示装置などで複数画素で１つの光源を共有する場合には、原色度が高いピクセルの輝度が低下するという問題も生じうる。
【００６２】
しかしながら、白（Ｗ）を消すことにより（図４（ｂ））、従来のＲＧＢの３つのサブピクセルによる輪郭の表示に近い表示を実現することができる。これにより、ＲＧＢＷの４つのサブピクセルによる輪郭の表示であっても、ＲＧＢＷ特有の画像の輪郭の変化を回避して、表示品位を高く保ち、かつ、液晶表示において視野角特性に優れるという利点を維持することができる。
【００６３】
図５は、ストライプ配列されたＲＧＢＷの４つのサブピクセルによる輪郭の表示を示す図であり、図５（ａ）は白（Ｗ）を点灯した場合、図５（ｂ）は白（Ｗ）を消した場合の図である。
【００６４】
図５（ａ）においても、白（Ｗ）の明るい画素が右側のエッジに現れ、その部分が目立ってしまう。しかしながら、白（Ｗ）を消すことにより（図５（ｂ））、従来のＲＧＢの３つのサブピクセルによる輪郭の表示に近い表示を実現することができる。これにより、ＲＧＢＷの４つのサブピクセルによる輪郭の表示であっても、ＲＧＢＷ特有の画像の輪郭の変化を回避して、表示品位を高く保ち、かつ、液晶表示において視野角特性に優れるという利点を維持することができる。この効果は、サブピクセルの配列方法がモザイク型、デルタ型などの他の配列方法であっても同様である。ただし、特にストライプ配列の場合は、クリアタイプフォントに代表されるＲＧＢストライプ配列を想定したサブピクセルレンダリング処理のエッジに対しても、従来のＲＧＢの表示に近い表示を実現することができる。
【００６５】
さらに、表示画像によっては、白（Ｗ）を点灯させたときの方が、観賞者にとってより好ましい画像となる場合がある。この点、表示装置１００は、状況に応じて第１表示モードと第２表示モードとを切り換え表示することが可能であるため、あらゆる表示シーンに対応した表示装置を実現することができる。その表示モードの切り換えは、操作部１５０を介した観賞者の手入力で行っても、あるいは、後述するデータ特性分析部（変換手段）１１１によって行われてもよい。
【００６６】
（４つのサブピクセルの構成について）
次に、サブピクセルの種々の構成について説明する。
【００６７】
表示装置１００では、ＲＧＢの各ピクセルに加え、４つ目のサブピクセルを白（Ｗ）とすることができる。これにより、白（Ｗ）は、最も明るいサブピクセルであり、画面自体の明るさを高めることができるという効果が得られる。
【００６８】
このとき、赤（Ｒ）および緑（Ｇ）のサブピクセルは、青（Ｂ）のサブピクセルよりも面積が大きい構成としてよい。
【００６９】
この構成によれば、ＲＧＢＷのサブピクセルにおいて、視覚的に最も目立つのが黄色の輝度の低下である。しかしながら、ＲおよびＧのサブピクセルをＢのサブピクセルよりも面積を大きくすることで、黄の表示を強化でき、それにより発色のよい表示を実現することができる。
【００７０】
ここで、ＲおよびＧのサブピクセルは、Ｂのサブピクセルよりも面積が１．２〜２．０倍であることが有効である。この数値よりも小さいと、黄の表示を強化し、発色のよい表示を実現するという効果が小さくなる。一方、この数値よりも大きいと、逆に黄の表示が強調され、緑表示時の輝度低下が目立ってしまう。そのため、ＲおよびＧのサブピクセルは、Ｂのサブピクセルよりも面積が１．２〜２．０倍であることが好ましい。
【００７１】
また、表示装置１００では、以下の理由により、ＲＧＢの各ピクセルに加え、４つ目のサブピクセルを黄（Ｙ）としてよい。
【００７２】
色の明るさは、白との輝度比で決まる。４つのサブピクセルがＲＧＢＷの場合、白表示（ＲＧＢＷ全サブピクセル点灯）に対する黄色表示（ＲＧサブピクセル点灯）の輝度比が、従来のＲＧＢパネルでの白表示（ＲＧＢ全サブピクセル点灯）に対する黄色表示（ＲＧサブピクセル点灯）の輝度比から、Ｗが入った分だけ低下する。また、一般に、ある一定の割合で白に対する輝度比が下がった場合、元の輝度が高いほど、人の目に視認されやすくなる。そのため、輝度の最も高い黄色が、ＲＧＢＷの場合暗くなったと感じられてしまう。しかしながら、４つ目のサブピクセル（Ｘ）が黄（Ｙ）であれば、白に対する黄の輝度を高め、表示品位を改善することができる。
【００７３】
そして、このとき、青（Ｂ）のサブピクセルは、赤（Ｒ）および緑（Ｇ）のサブピクセルよりも面積が大きい構成としてよい。
【００７４】
この構成によれば、４つのサブピクセルがＲＧＢＹの場合、ＲＧＢＹ点灯時の白表示が黄色くなる。そこで、補色であるＢを、ＲおよびＧの面積よりも大きくすることにより、白表示を補完することができ、ＲＧＢＹ点灯時の白表示が黄色くなる割合を低減することができる。
【００７５】
ここで、青（Ｂ）のサブピクセルは、赤（Ｒ）および緑（Ｇ）のサブピクセルよりも面積が１．２〜２．０倍であることが好ましい。この数値よりも小さいと、上述した効果が小さくなる。一方、この数値よりも大きいと、赤表示または緑表示時の輝度低下が目立ってしまう。そのため、青（Ｂ）のサブピクセルは、赤（Ｒ）および緑（Ｇ）のサブピクセルよりも面積が１．２〜２．０倍であることが好ましい。
【００７６】
さらに、表示装置１００では、ＲＧＢの各ピクセルに加え、４つ目のサブピクセルを緑（Ｇ）としてよい。
【００７７】
上記構成によれば、４つ目のサブピクセル（Ｘ）が緑（Ｇ）の場合、従来のＲＧＢで使用していた色を使用することになるため、表示装置１００を低コストで導入することができる。また、ＲＧＢの中で最も輝度の高い緑（Ｇ）を使用することにより、輝度改善効果を最大化することができる。
【００７８】
このように、サブピクセルの構成に種々のバリエーションを加えると、そのバリエーションごとの異なる効果も期待できる。しかも、このとき、４つのサブピクセルを用いた表示に特有の画像の輪郭の変化を回避して、表示品位を高く保ち、かつ、液晶表示において視野角特性に優れるという利点を維持することができる。
【００７９】
（ディミング）
次に、ディミングを持たせた表示制御について説明する。
【００８０】
第１表示モードから第２表示モード（または、その逆）への表示の切り換えが素早く行われると、表示画面にチラツキが生じ、それにより表示品位が低下するという問題が生じうることが知られている。
【００８１】
そこで、表示装置１００では、表示制御部１１４が、第１表示モードと第２表示モードとをディミングを持たせて切り換え表示させる。これにより、第１表示モードから第２表示モード（または、その逆）への表示の切り換えが時間をかけて行われるため、チラツキの発生を最大限に回避することができる。
【００８２】
このディミングの方法は、特に限定されず、例えば、４つのサブピクセルがＲＧＢＷである場合には次のように行われてよい。ＲＧＢＷ点灯モードからＷを黒表示する場合に、Ｗの点灯を減らし、それに応じて、目的の表示品位を維持するように、残りのＲＧＢの点灯量を決定する。これを繰り返して、Ｗが非点灯なるレベルまで移行させる。このように表示制御部１１４がディミングを持たせて切り換え表示させることにより、表示品位を低下させることなく、Ｗの黒表示まで移行させることができる。
【００８３】
なお、ディミングに要する時間は、外部環境や観賞者の嗜好にもよるが、３０ｍｓ〜２ｓ程度とすることが好ましい。また、この時間は、操作部１５０を介して観賞者が入力可能であってよく、それにより、より利便性の高い表示装置１００が観賞者に提供される。次のフレームですぐ変わる場合（１フレーム）をディミングなしとしたとき、３０ｍｓは、ディミングが２フレーム期間以上必要な場合を、２Ｓは、ディミングによる輝度変化がほとんど感じられないスピードに対応する時間にあたる。
【００８４】
（１画面内に２つのモード）
次に、第１表示モードおよび第２表示モードを同一画面内で表示する構成について説明する。
【００８５】
一般に、４つのサブピクセルで表示を行う場合、従来のＲＧＢの３つのサブピクセルで表示する場合と比べて、より明るい表示が可能となり、また、同じ明るさの表示であれば低消費電力での表示が可能となるというメリットがある。その一方で、ＲＧＢ表示は、表示品位に優れるというメリットがある。
【００８６】
この点、表示装置１００では、表示制御部１１４が、第１表示モードおよび第２表示モードを同一画面内に表示させることができる。したがって、表示装置１００では、第１表示モードおよび第２表示モードの両方を同一画面内で確認でき、そのため、各表示モードのメリットを観賞者に同時に提供することができる。
【００８７】
なお、第１表示モードおよび第２表示モードを同一画面内に表示させる例として、写真を第１表示モードで表示させ、テキストデータを第２表示モードで表示させる例が挙げられる。これにより、写真の表示に対しては高い表示品位を保ち、テキストデータの表示に対しては低電力消費を実現するという効果を同時に実現することができる。
〔実施の形態２〕
以下、図６を参照しつつ、本実施の形態に係る表示装置２００について説明する。なお、図１等を参照して説明した内容は、その説明を省略する。
【００８８】
図６は、本実施の形態に係る表示装置２００の構成を示すブロック図である。
【００８９】
図１に示すように、表示装置１００は、ソースドライバ９、ゲートドライバ１０、バックライト１２、表示パネル２０、バックライト制御部１１、及びコントローラ１０６を備えている。
【００９０】
バックライト制御部１１は、表示制御部１１４と協働して、バックライト１２の輝度を調整することができる。
【００９１】
コントローラ１０６は、ＲＧＢデータ取得部１１０、演算処理部１１２、及び表示制御部１１４に加え、さらに、データ特性分析部１１１を備える。
【００９２】
データ特性分析部１１１は、ＲＧＢデータ取得部１１０からＲＧＢデータを取得して、ＲＧＢデータの特性を分析する。例えば、データ特性分析部１１１は、次のように動作する。
【００９３】
ＲＧＢＷは、淡い色ほど明るい表示を実現しやすく、鮮やかな色ほどサブピクセル単体の発光効率の低下が表示に顕著に現れる。そこで、データ特性分析部１１１は、ＲＧＢデータ取得部１１０からＲＧＢデータを取得して、各画素の鮮やかさ（例えば、当該画素の最低階調／最大階調）を画面全体で平均化する演算を行う。そして、データ特性分析部１１１は、その平均値が一定値以上か、一定値未満であるかを分析する。データ特性分析部１１１は、平均値が一定値以上であればＷサブピクセルを黒表示とし、一定値未満のときにはＲＧＢＷサブピクセルを全画素点灯を行うことを演算処理部１１２に指示する。ここで、上記一定値は、５０〜８０％が最適である。一定値が、５０〜８０％よりも低いとＲＧＢＷによる輝度改善効果が十分に発揮されず、５０〜８０％よりも高いと表示の劣化が激しくなるためである。
【００９４】
あるいは、データ特性分析部１１１は、次のように動作してもよい。
【００９５】
データ特性分析部１１１は、ＲＧＢデータ取得部１１０からＲＧＢデータを取得して、ＲＧＢデータをＹＣｂＣｒ（輝度／色相）変換し、彩度情報と輝度情報とを分離する。そして、データ特性分析部１１１は、Ｃｂ、Ｃｒから彩度を示す値Ｃ＝（ｃｂ２＋ｃｒ２）０．５を算出する。ここで、ｃｂは、Ｃｂの演算上取りうる最大値に対する当該画素のＣｂ値であり、ｃｒは、Ｃｒの演算上取りうる最大値に対する当該画素のＣｒ値である。そして、データ特性分析部１１１は、このＣの画面全体での平均値が一定値以上の場合にはＷサブピクセルを黒表示とし、一定値未満のときＲＧＢＷサブピクセルを全画素点灯を行うことを演算処理部１１２に指示する。ここで、上記一定値は、５０〜８０％が最適である。一定値が、５０〜８０％よりも低いと低いとＲＧＢＷによる輝度改善効果を十分に発揮できず、また、５０〜８０％よりも高いと、表示の劣化が激しくなるこためである。
【００９６】
このように、データ特性分析部１１１は、ＲＧＢデータ取得部１１０からＲＧＢデータを取得して、ＲＧＢデータの特性（画素の最低階調／最大階調、あるいは、彩度情報など）を分析することにより演算処理部１１２に所定の指示をすることができ、表示制御部１１４は、演算処理部１１２での演算結果に基づく表示を行うことができる。つまり、表示装置２００は、自動的に、ＲＧＢデータの特性に応じた好適な表示品位を維持することができる。
【００９７】
（複数のバックライト）
表示装置２００では、バックライト１２は、複数の小ブロックに分割されていてもよい。このとき、各ブロックにおける点灯・消灯等の制御はバックライト制御部１１によって行われ、バックライト制御部１１は、表示制御部１１４の指示を受けてバックライト１２の制御を行う。
【００９８】
上述したように、表示制御部１１４は、第１表示モード及び第２表示モードの表示の切り換え、ディミングを持たせた表示制御、１画面内に第１表示モードおよび第２表示モードを同時に表示する等の表示制御を行う。そこで、バックライト１２を複数の小ブロックに分割し、各ブロックのバックライト制御を、バックライト制御部１１を介して表示制御部１１４に制御させる。これにより、各ブロックに対応する画素群ごとにバックライトの制御が可能となり、当該画素群ごとに表示画像の輪郭の見え方を改善させることができる。しかも、画素群ごとにバックライト制御を行うため、消費電力も必要最小限に抑えることができる。
【００９９】
本発明は上述した実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１００】
最後に、表示装置１００、２００の各ブロックは、ハードウェアロジックによって構成してもよいし、次のようにＣＰＵを用いてソフトウェアによって実現してもよい。
【０１０１】
すなわち、表示装置１００、２００は、各機能を実現する制御プログラムの命令を実行するＣＰＵ（central processing unit）、上記プログラムを格納したＲＯＭ（read only
memory）、上記プログラムを展開するＲＡＭ（random access memory）、上記プログラ
ムおよび各種データを格納するメモリなどの記憶装置（記録媒体）などを備えている。
【０１０２】
そして、本発明の目的は、上述した機能を実現するソフトウェアである表示プログラムのプログラムコード（実行形式プログラム、中間コードプログラム、ソースプログラム）をコンピュータで読み取り可能に記録した記録媒体を、表示装置１００、２００に供給し、そのコンピュータ（またはＣＰＵやＭＰＵ）が記録媒体に記録されているプログラムコードを読み出し実行することによっても、達成可能である。
【０１０３】
上記記録媒体としては、例えば、磁気テープやカセットテープなどのテープ系、フロッピー（登録商標）ディスク／ハードディスクなどの磁気ディスクやＣＤ−ＲＯＭ／ＭＯ／ＭＤ／ＤＶＤ／ＣＤ−Ｒなどの光ディスクを含むディスク系、ＩＣカード（メモリカードを含む）／光カードなどのカード系、あるいはマスクＲＯＭ／ＥＰＲＯＭ／ＥＥＰＲＯＭ／フラッシュＲＯＭなどの半導体メモリ系などを用いることができる。
【０１０４】
また、表示装置１００、２００を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話
回線網、移動体通信網、衛星通信網などが利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線などの有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網などの無線でも利用可能である。なお、本発明は、上記プログラムコードが電子的な伝送で具現化された、搬送波に埋め込まれたコンピュータデータ信号の形態でも実現され得る。
〔補足〕
なお、本発明に係る表示装置の特徴は、下記のように表現することも可能である。
【０１０５】
すなわち、本発明に係る表示装置は、ＲＧＢ＋１つ以上の画素を有し、すべての画素を映像信号にあわせて可変させるモードと入力映像信号が変わっても特定の色のサブピクセルの輝度をほぼ一定にするモードを有する構成であってよい。
【０１０６】
また、本発明に係る表示装置では、ほぼ一定の輝度は黒にする構成であってよい。
【０１０７】
また、本発明に係る表示装置では、ＲＧＢ以外のサブピクセルはＷであってよい。
【０１０８】
また、本発明に係る表示装置では、サブピクセルはＹであってよい。
【０１０９】
また、本発明に係る表示装置では、サブピクセルはＧであってよい。
【０１１０】
また、本発明に係る表示装置では、サブピクセルのＲＧＢ面積比が異なり、少なくともＢが他の2つのいずれかより大きい構成であってよい。
【０１１１】
また、本発明に係る表示装置では、サブピクセルのＲＧＢ面積比が異なり、ＲＧが大きい構成であってよい。
【０１１２】
また、本発明に係る表示装置では、入力される画像データをもとにモードを自動で切り替えられる構成であってよい。このとき、入力される画像データは、彩度と輝度情報とに分割される構成であってよい
また、本発明に係る表示装置では、１画面内を２つのエリアに分けて、一方を全ての画素のモード、もう一方を特定色一定のモードとする構成であってよい。
【０１１３】
また、本発明に係る表示装置では、光源が複数ある構成であってよい。
【０１１４】
また、本発明に係る表示装置では、２つのモードの切り替え時にはディミングを持たせる構成であってよい。
【０１１５】
また、本発明に係る表示装置では、上記第１変換手段は、上記ＲＧＢデータを、上記４つ目のサブピクセル（Ｘ）の表示が黒となるＲＧＢＸデータに変換する構成であってよい。
【０１１６】
４つのサブピクセルで表示を行う場合、従来のＲＧＢの３つのサブピクセルで表示する場合と比べて、より明るい表示が可能となり、また、同じ明るさの表示であれば低消費電力での表示が可能となる。その一方で、４つのサブピクセルで表示を行う場合、従来のＲＧＢの３つのサブピクセルで表示する場合と比べて、画像の輪郭の見え方が劣化するといった問題が生じうる。
【０１１７】
そこで、４つ目のサブピクセルを黒表示として、残りのＲＧＢの３つのサブピクセルで表示を行うことにより、従来のＲＧＢの３つのサブピクセルによる表示品位に非常に近い表示品位を実現することができるという効果を奏する。
【０１１８】
また、本発明に係る表示装置では、画素毎に、上記取得手段が取得したＲＧＢデータをＲＧＢＸデータに変換する際に、上記４つ目のサブピクセル（Ｘ）の輝度を他の画素の４つ目のサブピクセル（Ｘ）の輝度とは独立に決定する第２変換手段と、上記第１変換手段および上記第２変換手段が変換したＲＧＢＸデータを用いて表示される表示モードをそれぞれ、第１表示モードおよび第２表示モードとしたときに、上記第１表示モードと上記第２表示モードによる表示の切り換え時に、ディミング処理を行う表示制御手段と、を備える構成であってよい。
【０１１９】
上記第１表示モードによる表示から上記第２表示モード（または、その逆）による表示への表示の切り換えが瞬時に行われることにより、表示画面にチラツキが生じ、それにより表示品位が低下するという問題が生じうる。
【０１２０】
この点、本発明に係る表示装置では、表示制御手段が、上記第１表示モードによる表示と上記第２表示モードによる表示との切り換え時に、ディミング処理を行う構成である。そのため、上記第１表示モードによる表示から上記第２表示モード（または、その逆）による表示への表示の切り換えが階調を段階的に変化させて行われるため、チラツキの発生を最大限に回避できる。
【０１２１】
なお、ディミングの方法は特に限定されない。一例として、４つのサブピクセルがＲＧＢＷである場合を考える。ＲＧＢＷ点灯モードからＷを黒表示する場合に、Ｗの点灯を減らし、それに応じて、目的の表示品位を維持するように、残りのＲＧＢの点灯量を決定する。これを繰り返して、Ｗが非点灯になるレベルまで移行させる。表示制御手段が、このようにディミングを持たせて時間をかけて切り換え表示させることにより、表示品位を低下させることなく、Ｗの黒表示まで移行させることができる。
【０１２２】
なお、ディミング処理において段階的に変化させる階調の変化率等は、外部環境や観賞者などに応じて調整すればよく、特定の時間に限定されない。
【０１２３】
また、本発明に係る表示装置では、画素毎に、上記取得手段が取得したＲＧＢデータをＲＧＢＸデータに変換する際に、上記４つ目のサブピクセル（Ｘ）の輝度を他の画素の４つ目のサブピクセル（Ｘ）の輝度とは独立に決定する第２変換手段と、上記第１変換手段および上記第２変換手段が変換したＲＧＢＸデータを用いて表示される表示モードをそれぞれ、第１表示モードおよび第２表示モードとしたときに、上記第１表示モードによる表示および上記第２表示モードによる表示を同一画面内に表示させる表示制御手段と、を備える構成であってよい。
【０１２４】
一般に、４つのサブピクセルで表示を行う場合、従来のＲＧＢの３つのサブピクセルで表示する場合と比べて、より明るい表示が可能となり、また、同じ明るさの表示であれば低消費電力での表示が可能となるというメリットを有する。一方、ＲＧＢ表示は、表示品位に優れるというメリットを有する。
【０１２５】
この点、本発明に係る表示装置では、表示制御手段が、第１表示モードによる表示および第２表示モードによる表示を同一画面内に表示させることができる。したがって、本発明に係る表示装置では、第１表示モードによる表示および第２表示モードによる表示の両方を同一画面内で確認でき、そのため、各表示モードのメリットを観賞者に同時に提供することができる。
【０１２６】
なお、第１表示モードによる表示および第２表示モードによる表示を同一画面内に表示させる例として、写真（第１表示モード）およびテキストデータ（第２表示モード）を同一画面内に表示させる場合が挙げられる。
【０１２７】
また、本発明に係る表示装置では、上記４つ目のサブピクセル（Ｘ）は、白（Ｗ）であってよい。
【０１２８】
白（Ｗ）は、最も明るいサブピクセルであり、他の色のピクセルを用いるよりも画面自体の明るさを高めることができる。
【０１２９】
また、本発明に係る表示装置では、赤（Ｒ）および緑（Ｇ）のサブピクセルは、青（Ｂ）のサブピクセルよりも面積が大きい構成であってよい。
【０１３０】
ＲＧＢＷのサブピクセルにおいて、視覚的に最も目立つのが黄色の輝度の低下である。しかしながら、ＲおよびＧのサブピクセルをＢのサブピクセルよりも面積を大きくすることで、黄の表示を強化でき、それにより発色のよい表示を実現することができる。
【０１３１】
また、本発明に係る表示装置では、上記４つ目のサブピクセル（Ｘ）は、黄（Ｙ）であってよい。
【０１３２】
色の明るさは、白との輝度比で決まる。４つのサブピクセルがＲＧＢＷの場合、白表示（ＲＧＢＷサブピクセル全点灯）に対する黄色表示（ＲＧサブピクセル点灯）の輝度比が、従来のＲＧＢパネルでの白表示（ＲＧＢ全サブピクセル点灯）に対する黄色表示（ＲＧサブピクセル点灯）の輝度比から、Ｗが点灯する分だけ低下する。また、一般に、ある一定の割合で白に対する輝度比が下がった場合、元の輝度が高いほど、人の目に視認されやすくなる。そのため、輝度の最も高い黄色が、ＲＧＢＷの場合暗くなったと感じられてしまう。
【０１３３】
しかしながら、４つ目のサブピクセル（Ｘ）が黄（Ｙ）であれば、白に対する黄の輝度を高め、表示品位を改善することができるという効果を有する。
【０１３４】
また、本発明に係る表示装置では、青（Ｂ）のサブピクセルは、赤（Ｒ）および緑（Ｇ）のサブピクセルよりも面積が大きい構成であってよい。
【０１３５】
４つのサブピクセルがＲＧＢＹの場合、ＲＧＢＹ点灯時の白表示が黄色くなる。そこで、補色であるＢのサブピクセルを、ＲおよびＧの面積よりも大きくすることにより、白表示を補完することができ、ＲＧＢＹ点灯時の白表示が黄色くなる割合を低減することができる。
【０１３６】
また、本発明に係る表示装置では、上記４つ目のサブピクセル（Ｘ）は、緑（Ｇ）であってよい。
【０１３７】
４つ目のサブピクセル（Ｘ）が緑（Ｇ）の場合、従来のＲＧＢで使用していた色を使用することになるため、当該表示装置を低コストで導入することができる。また、ＲＧＢの中で最も輝度の高い緑（Ｇ）を使用することにより、輝度改善効果を最大化することができる。
【０１３８】
また、本発明に係る表示装置では、画素毎に、上記取得手段が取得したＲＧＢデータをＲＧＢＸデータに変換する際に、上記４つ目のサブピクセル（Ｘ）の輝度を他の画素の４つ目のサブピクセル（Ｘ）の輝度とは独立に決定する第２変換手段と、上記第１変換手段および上記第２変換手段が変換したＲＧＢＸデータを用いて表示される表示モードをそれぞれ、第１表示モードおよび第２表示モードとしたときに、上記第１表示モードによる表示と上記第２表示モードによる表示とを、上記ＲＧＢデータのデータ特性に応じて自動で切り換え表示させる表示制御手段と、を備える構成であってよい。
【０１３９】
また、本発明に係る表示装置では、上記データ特性は、上記ＲＧＢデータの彩度であり、彩度の高低にしたがって、第１表示モードによる表示または第２表示モードによる表示が決定される構成であってよい。
【０１４０】
彩度の高低にしたがって、第１表示モードによる表示または第２表示モードによる表示が決定されることにより、本発明に係る表示装置は、彩度に応じた好適な表示品位を自動的に維持することができる。
【０１４１】
上記表示装置は、液晶表示装置であってよい。
【０１４２】
４つのサブピクセルすべてを用いて表示を行う場合、従来のＲＧＢの３つのサブピクセルで表示する場合と比べて、表示画像の輪郭の見え方が異なる場合がある。さらに、４つのサブピクセルすべてを用いて表示を行う場合であって、表示装置が液晶型の場合、従来の３つのサブピクセルを用いて表示する表示装置と比べて、視野角特性が悪化する、単色輝度の低下が生じるといった問題が生じうる。
【０１４３】
この点、本発明に係る表示装置は、液晶表示装置にも適用することができ、これにより、たとえ４つのサブピクセルを用いて表示する場合であっても、視野角特性が悪化する、単色輝度の低下が生じる、といった上記種々の問題を解決することができる。
【０１４４】
上記表示装置は、バックライトの光源を複数有し、上記所定領域に対応する複数の上記光源ごとに、バックライト制御が行われる構成であってよい。
【０１４５】
上記構成により、上記所定領域に含まれる画素ごとにバックライトの制御が可能となり、当該画素群ごとに表示画像の輪郭の見え方を改善させることができる。しかも、画素群ごとにバックライト制御を行うため、消費電力も必要最小限に抑えることができる。
【産業上の利用可能性】
【０１４６】
本発明は、１画素に４つのサブピクセルを有する表示パネルを備えた表示装置において表示画像の輪郭の見え方を改善するものであって、ＬＣＤ、ＰＤＰ、または有機ＥＬなどの表示装置に好適に用いることができる。
【符号の説明】
【０１４７】
９      ソースドライバ
１０    ゲートドライバ
１１    バックライト制御部
１２    バックライト
２０    表示パネル
２１    画素
１００、２００  表示装置
１０５  コントローラ
１０６  コントローラ
１１０  ＲＧＢデータ取得部（取得手段）
１１１  データ特性分析部
１１２  演算処理部
１１２ａ  第１演算処理部（第１変換手段）
１１２ｂ  第２演算処理部（第２変換手段）
１１４  表示制御部
１５０  操作部
【図１】
2012137819.tif 000003
【図２】
2012137819.tif 000004
【図３】
2012137819.tif 000005
【図４】
2012137819.tif 000006
【図５】
2012137819.tif 000007
【図６】
2012137819.tif 000008
【手続補正書】
【提出日】平成25年8月27日(2013.8.27)
【手続補正１】
【補正対象書類名】特許請求の範囲
【補正対象項目名】全文
【補正方法】変更
【補正の内容】
【特許請求の範囲】
【請求項１】
赤（Ｒ）、緑（Ｇ）、青（Ｂ）の各サブピクセル、および、４つ目のサブピクセル（Ｘ）を一画素中に有する表示パネルを備えた表示装置であって、
ＲＧＢデータを取得する取得手段と、
画素毎に、上記取得手段が取得したＲＧＢデータをＲＧＢＸデータに変換する際に、上記４つ目のサブピクセル（Ｘ）の輝度を、当該画素を含む所定領域に含まれる複数の画素の４つ目のサブピクセル（Ｘ）の輝度と略同一となるように決定する第１変換手段と、
画素毎に、上記取得手段が取得したＲＧＢデータをＲＧＢＸデータに変換する際に、上記４つ目のサブピクセル（Ｘ）の輝度を他の画素の４つ目のサブピクセル（Ｘ）の輝度とは独立に決定する第２変換手段と、
上記第１変換手段および上記第２変換手段が変換したＲＧＢＸデータを用いて表示される表示モードをそれぞれ、第１表示モードおよび第２表示モードとしたときに、上記第１表示モードと上記第２表示モードによる表示の切り換え時に、ディミング処理を行う表示制御手段と、
を備えることを特徴とする表示装置。
【請求項２】
上記第１変換手段は、上記ＲＧＢデータを、上記４つ目のサブピクセル（Ｘ）の表示が黒となるＲＧＢＸデータに変換することを特徴とする請求項１に記載の表示装置。
【請求項３】
画素毎に、上記取得手段が取得したＲＧＢデータをＲＧＢＸデータに変換する際に、上記４つ目のサブピクセル（Ｘ）の輝度を他の画素の４つ目のサブピクセル（Ｘ）の輝度とは独立に決定する第２変換手段と、
上記第１変換手段および上記第２変換手段が変換したＲＧＢＸデータを用いて表示される表示モードをそれぞれ、第１表示モードおよび第２表示モードとしたときに、上記第１表示モードによる表示および上記第２表示モードによる表示を同一画面内に表示させる表示制御手段と、
を備えることを特徴とする請求項１または２に記載の表示装置。
【請求項４】
上記４つ目のサブピクセル（Ｘ）は、白（Ｗ）であることを特徴とする請求項１から３の何れか１項に記載の表示装置。
【請求項５】
赤（Ｒ）および緑（Ｇ）のサブピクセルは、青（Ｂ）のサブピクセルよりも面積が大きいことを特徴とする請求項４に記載の表示装置。
【請求項６】
上記４つ目のサブピクセル（Ｘ）は、黄（Ｙ）であることを特徴とする請求項１から３の何れか１項に記載の表示装置。
【請求項７】
青（Ｂ）のサブピクセルは、赤（Ｒ）および緑（Ｇ）のサブピクセルよりも面積が大きいことを特徴とする請求項６に記載の表示装置。
【請求項８】
上記４つ目のサブピクセル（Ｘ）は、緑（Ｇ）であることを特徴とする請求項１から３の何れか１項に記載の表示装置。
【請求項９】
画素毎に、上記取得手段が取得したＲＧＢデータをＲＧＢＸデータに変換する際に、上記４つ目のサブピクセル（Ｘ）の輝度を他の画素の４つ目のサブピクセル（Ｘ）の輝度とは独立に決定する第２変換手段と、
上記第１変換手段および上記第２変換手段が変換したＲＧＢＸデータを用いて表示される表示モードをそれぞれ、第１表示モードおよび第２表示モードとしたときに、上記第１表示モードによる表示と上記第２表示モードによる表示とを、上記ＲＧＢデータのデータ特性に応じて自動で切り換え表示させる表示制御手段と、を備えることを特徴とする請求項１または３に記載の表示装置。
【請求項１０】
上記データ特性は、上記ＲＧＢデータの彩度であり、
彩度の高低にしたがって、第１表示モードによる表示または第２表示モードによる表示が決定されることを特徴とする請求項９に記載の表示装置。
【請求項１１】
上記表示装置は、液晶表示装置であることを特徴とする請求項１から１０の何れか１項に記載の表示装置。
【請求項１２】
上記表示装置は、バックライトの光源を複数有し、
上記所定領域に対応する複数の上記光源ごとに、バックライト制御が行われることを特徴とする請求項１１に記載の表示装置。
【請求項１３】
上記ディミング処理に要する時間は、３０ｍｓ〜２ｓであることを特徴とする請求項１に記載の表示装置。
【請求項１４】
赤（Ｒ）、緑（Ｇ）、青（Ｂ）の各サブピクセル、および、４つ目のサブピクセル（Ｘ）を一画素中に有する表示パネルを備えた表示装置の表示方法であって、
ＲＧＢデータを取得する取得ステップと、
画素毎に、上記取得ステップにて取得されたＲＧＢデータをＲＧＢＸデータに変換する際に、上記４つ目のサブピクセル（Ｘ）の輝度を、当該画素を含む所定領域に含まれる複数の画素の４つ目のサブピクセル（Ｘ）の輝度と略同一となるように決定する第１変換ステップと、
画素毎に、上記取得ステップにて取得したＲＧＢデータをＲＧＢＸデータに変換する際に、上記４つ目のサブピクセル（Ｘ）の輝度を他の画素の４つ目のサブピクセル（Ｘ）の輝度とは独立に決定する第２変換ステップと、
上記第１変換ステップおよび上記第２変換ステップにて変換されたＲＧＢＸデータを用いて表示される表示モードをそれぞれ、第１表示モードおよび第２表示モードとしたときに、上記第１表示モードと上記第２表示モードによる表示の切り換え時に、ディミング処理を行う表示制御ステップと、を含むことを特徴とする表示方法。
【国際調査報告】
2012137819.tif 000009
2012137819.tif 000010
2012137819.tif 000011
2012137819.tif 000012
2012137819.tif 000013
2012137819.tif 000014